(57)【要約】【課題】  構造が簡易で、小型化でき、かばんのハンドルに容易に掛けて、かばんと共に容易に持ち歩くことができるブックカバーを提供する。【解決手段】  ブックカバー１は、本の表裏の表紙を被覆する矩形のカバーシート９を有する一対の表紙カバー５，６と、本の背表紙を被覆し表紙カバー５，６との間を折り曲げ自在に接続する背カバー７とを具備する。表紙カバー５，６は、背カバー７と反対側の端縁において互いに結合分離可能である。一方の表紙カバー５は、閉ループを形成する取っ手３を具備する。取っ手３は、閉ループ内へかばんのハンドルＨを受け入れるために当該閉ループを開閉するスナップファスナ１０，１５，１６のような着脱部を有する。【選択図】図１
2010155353.tif 000002
【特許請求の範囲】
【請求項１】
本の表裏いずれかの表紙を選択的に被覆する矩形のカバーシートを有する第１および第２の一対の表紙カバーと、本の背表紙を被覆し第１、第２の表紙カバーとの間を折り曲げ自在に接続する背カバーとを具備し、第１、第２の表紙カバーが少なくとも背カバーと反対側の端縁において互いに結合分離可能に構成されるブックカバーにおいて、
使用時に前記第１又は第２のいずれか一方の表紙カバーのカバーシートにおける前記背カバー部と反対側の一端辺からほぼ倒Ｕ字状に突出して当該表紙カバーとの間にかばんのハンドルへ掛けるための閉ループを形成する取っ手をさらに具備し、
この取っ手は、前記閉ループ内へかばんのハンドルを受け入れるために当該閉ループを開閉する着脱部を有することを特徴とするブックカバー。
【請求項２】
前記取っ手は、不使用時に表紙カバーから突出しないように、当該表紙カバー内へ収納されることを特徴とするブックカバー。
【請求項３】
前記取っ手は、前記一方の表紙カバーのカバーシートとほぼ平行に配置される平板状部材で構成され、カバーシートの一端辺と平行に延びるように配置される手掛け片と、この手掛け片の両端から直角に延出する一対の支持片とを具備し、
一方の前記支持片の先端部には、当該支持片から直角に突出する平板状の係止片がさらに設けられ、他方の前記支持片の延長方向両端部には、スナップファスナが取り付けられ、
前記一方の表紙カバーのカバーシートは、前記取っ手の一対の支持片を内側へ収納自在に受け入れる一対の開口を有すると共に、前記取っ手のスナップファスナと択一的に係合して、取っ手を突出位置又は収納位置で固定するための対応スナップファスナを具備することを特徴とする請求項２に記載のブックカバー。
【請求項４】
前記一方の表紙カバーは、カバーシートと、カバーシートの３辺から直角に起立する３つの側面板とを有する箱形に形成され、
前記取っ手は、前記表紙カバーの対向する側面板の内側へ出入り自在に装着され、かつ延長途上でファスナにより結合分離自在に２分割して構成されることを特徴とする請求項２に記載のブックカバー。
【請求項５】
前記他方の表紙カバーのカバーシートにおける前記背カバー部と反対側の一端辺には、相互の所定間隔を置いて２つの挿通環が設けられ、
前記一方の表紙カバーのカバーシートにおける前記背カバー部と反対側の一端辺には、一方の前記挿通環に対応する位置に係止環が設けられ、
前記取っ手は、一端が前記一方の表紙カバーのカバーシートに係止され、他端には前記係止環に係脱自在の連結具を具備し、他方の表紙カバーの２つの挿通環
を通して連結具を前記一方の表紙カバーの係止環に係止することにより、２つの挿通環の間にほぼ倒Ｕ字状の手提げ部を形成することを特徴とする請求項１に記載のブックカバー。
【発明の詳細な説明】
【技術分野】
【０００１】
この発明は、本の携帯に適したブックカバーに関し、特に、電車内等において、かばんのハンドルに掛けて容易に本を携帯できるブックカバーに係るものである。
【背景技術】
【０００２】
従来、把手やストラップを設けて本を持ち歩き易くしたブックカバーとして、例えば特許文献１に記載されたものが知られている。このブックカバーは、把手が２つの表紙カバーに設けられており、本を汚れや破損から防止するとともに、把手を手に持ったり、肩に掛けたりして、ハンドバッグ代わりの感覚で、便利に持ち歩くことができるとされる。
【特許文献１】特開２００３−５４１５８号公報
【発明の開示】
【発明が解決しようとする課題】
【０００３】
上記従来のブックカバーにおける２本の把手は、一冊の本を携帯するためには過剰で、却って邪魔になるという問題点がある。外出時には、頻繁にかばんを携帯するが、このブックカバーは、単独で持ち歩くことが想定されているため、かばんと別に持ち歩かなければならない不便がある。
したがって、この出願に係る発明は、構造が簡易で、小型化でき、かばんのハンドルに容易に掛けて、かばんと共に容易に持ち歩くことができるブックカバーを提供することを課題としている。
【課題を解決するための手段】
【０００４】
上記課題を解決するための本発明のブックカバー１は、本の表裏いずれかの表紙を選択的に被覆する矩形のカバーシート９を有する第１および第２の一対の表紙カバー５，６と、本の背表紙を被覆し第１、第２の表紙カバーとの間を折り曲げ自在に接続する背カバー７とを具備し、第１、第２の表紙カバー５，６が少なくとも背カバー７と反対側の端縁において互いに結合分離可能に構成されるブックカバーである。第１又は第２のいずれか一方の表紙カバー５，６は、かばんＢのハンドルＨへ掛けるための閉ループを形成する取っ手３を具備する。この取っ手３は、使用時に、第１又は第２のいずれか一方の表紙カバー５，６のカバーシート９における背カバー７と反対側の一端辺からほぼ倒Ｕ字状に突出し、閉ループ内へかばんのハンドルＨを受け入れるために当該閉ループを開閉するスナップファスナ１０，１５，１６のような着脱部を有する。
この取っ手３は、好ましくは、不使用時に表紙カバー５，６から突出しないように、当該表紙カバー５，６内へ収納される。
【発明の効果】
【０００５】
この出願に係る発明によれば、構造が簡易で、小型化でき、かばんのハンドルに容易に掛けて、かばんと共に容易に持ち歩くことができるブックカバーを提供することができる。
【発明を実施するための最良の形態】
【０００６】
図面を参照してこの発明の実施の形態を説明する。図１は本発明に係るブックカバーをかばんのハンドルに掛けた使用状態の斜視図、図２(ａ)は図１のブックカバーの本体の正面図、（ｂ）は同取っ手の正面図、図３は図１のブックカバーにおける取っ手の開放状態の正面図である。
【０００７】
図1ないし図３において、ブックカバー1は、本体２と取っ手３とストラップ４とを具備する。本体２は、スライドファスナ８により互いに結合分離可能な第１および第２の一対の表紙カバー５，６と、背カバー７とを具備する。
表紙カバー５，６は、それぞれ本の表紙又は裏表紙を被覆する矩形のカバーシート９を具備し、カバーシート９の周縁にスライドファスナ８が縫い付けられている。一方の表紙カバー５のカバーシート９は、取っ手３の一対の支持片１２，１３を内側へ収納自在に受け入れる一対の開口９ａ，９ｂを有する。カバーシート９はまた、一方の開口９ｂの上方（背カバー７と反対方向）に位置してスナップファスナ１０を有する（図２ａ）。
【０００８】
背カバー７は、本の背表紙を被覆し、第１、第２の表紙カバー５，６との間を折り曲げ自在に接続する。
【０００９】
取っ手３は、不使用時に表紙カバー９から上方へ突出しないように、当該表紙カバー９内へ収納される。取っ手３は、平板状部材で構成され、カバーシート９の上方の端辺と平行に延びるように配置される手掛け片１１と、この手掛け片１１の両端から下方へ直角に延出する一対の支持片１２，１３とを具備する。支持片１２，１３の下端側は、開口９ａ，９ｂを通してカバーシート９の内側へ上下方向に移動自在に挿入される。一方の支持片１３の下端部には、支持片１３から直角に他方の支持片１３側へ突出する平板状の係止片１４が設けられる。この係止片１４は支持片１２を開口９ａから抜け止めする。他方の支持片１３の上下の端部付近には、相互に所定間隔を置いてスナップファスナ１５，１６が取り付けられる。スナップファスナ１５，１６は、本体２のスナップファスナ１０と択一的に係合して、取っ手３を突出位置又は収納位置で本体２に固定する。すなわち、スナップファスナ１５は、取っ手３がカバーシート５の内側へ収納された位置において本体２のスナップファスナ１０と係合し、スナップファスナ１６は、取っ手３が上方へ引き出された位置において本体２のスナップファスナ１０と係合する。
【００１０】
取っ手３は、図３に示すように、支持片１３のスナップファスナ１５，１６の係合を外した状態で、反時計方向へ回転させ、支持片１３の下端部を開口９ｂから抜くことで、ループを開くことができる。この状態で、支持片１３の下端と本体２との間からかばんＢのハンドルＨをループの内側へ受け入れることができる。受け入れ後は、支持片１３を開口９ｂ内へ戻してスナップファスナ１５を対応する本体２のスナップファスナ１０に係合させることでループを閉じ、ブックカバーをかばんのハンドルＨに掛け止める。また、取っ手３は、本体２に対して押し下げることで、支持片１２，１３を開口９ａ，９ｂから表紙カバー９の内側へ収納しておけば、読書中に左右へ広がることがなく、電車内での読書の際等に、左右隣の人の迷惑にならない。
【００１１】
ストラップ４は、本体２から延出する紐体１７と、その先端に固着されたナス環のようなフック１８を具備する。必要に応じ、フック１８をかばんのハンドルＨに掛け止めておくことができる。
【００１２】
図４，５に他の実施形態を示す。図４は他の実施形態のブックカバーの斜視図、図５(ａ)は図４のブックカバーにおける取っ手を使用する状態の斜視図、（ｂ）は同取っ手のループを開放した状態の斜視図、(ｃ)は同取っ手を収納した状態の斜視図である。
【００１３】
この実施形態においては、表紙カバー５，６は、カバーシート９と、その３辺から直角に起立する３つの側面板１９，２０，２１とを有する箱形に形成され、互いに嵌合させて固定可能に構成される。先の実施形態と同様、紐体１７の先端にフック１８を有するストラップ４を具備する。
【００１４】
取っ手３は、延長途上で結合分離自在の平帯状の２つの支持片１２，１３の二分割構成である。支持片１２，１３は、基端側が、それぞれ一方の表紙カバー５の対向する側面板１９，２０の内側へ出入り自在に装着され、先端には互いに結合分離可能なファスナ２２が設けられる。支持片１２，１３をファスナ２２で結合した状態で、本体２の上部に、ほぼ倒Ｕ字状の手提げ部が形成される。
図６，７にさらに他の実施形態を示す。図６はブックカバーの斜視図、図７は図６に示すブックカバーの使用状態の斜視図である。
【００１５】
この実施形態においては、一方の表紙カバー５の上縁部の片側寄り位置に紐状の取っ手３を構成する紐状部材２３の基端が固着され、上縁部の他側寄り位置には係止環２５が設けられる。取っ手３は、先端部にナス環のような連結具２４有し、係止環２５を介してカバーシート９に着脱自在に係止される。
【００１６】
他方の表紙カバー６の上縁部には、２つの挿通環２６，２７が相互間隔を置いて設けられる。一方の挿通環２６は、取っ手３の基端側に対向し、他方の挿通環２７は係止環２５に対向する。
【００１７】
連結具２４は、紐状部材２３と共に挿通環２６，２７に挿通可能である。したがって、紐状部材２３を挿通環２６，２７に順次挿通させ、連結具２４を係止環２５に連結すれば、一対の表紙カバー５，６の上部間が結合され、また２つの挿通環の間にループが閉じたほぼ倒Ｕ字状の手提げ部を持つ取っ手が形成される。
【００１８】
連結具２４を係止環２５から外して、挿通環２７から抜けば，取っ手３のループが開くので、ここへかばんＢのハンドルＨを受け入れることができる。ハンドルＨを受け入れ、再び挿通環２７を通して連結具２４を係止環２５に結合すれば、取っ手３をハンドルＨに掛け止めることができる。この実施形態のブックカバーも、先の実施形態と同様、紐体１７の先端にフック１８を有するストラップ４を具備する。
【図面の簡単な説明】
【００１９】
【図１】本発明に係るブックカバーをかばんのハンドルに掛けた使用状態の斜視図である。
【図２】(ａ)は図１のブックカバーの本体の正面図、（ｂ）は同取っ手の正面図である。
【図３】図１のブックカバーにおける取っ手の開放状態の正面図である。
【図４】他の実施形態のブックカバーの斜視図である。
【図５】(ａ)は図４のブックカバーにおける取っ手を使用する状態の斜視図、（ｂ）は同取っ手のループを開放した状態の斜視図、(ｃ)は同取っ手を収納した状態の斜視図である。
【図６】さらに他の実施形態のブックカバーの斜視図である。
【図７】図６に示すブックカバーの使用状態の斜視図である。
【符号の説明】
【００２０】
１    ブックカバー
２    ブックカバーの本体
３    取っ手
４    ストラップ
５    表紙カバー
６    表紙カバー
７    背カバー
８    スライドファスナ
９    カバーシート
９ａ  開口
９ｂ  開口
１０  スナップファスナ
１１  手掛け片
１２  支持片
１３  支持片
１４  係止片
１５  スナップファスナ
１６  スナップファスナ
１７  紐体
１８  フック
１９  側面板
２０  側面板
２１  側面板
２２  ファスナ
２３  紐状部材
２４  連結具
２５  係止環
２６  挿通環
２７  挿通環
Ｂ    かばん
Ｈ    ハンドル
【図１】
2010155353.tif 000003
【図２】
2010155353.tif 000004
【図３】
2010155353.tif 000005
【図４】
2010155353.tif 000006
【図５】
2010155353.tif 000007
【図６】
2010155353.tif 000008
【図７】
2010155353.tif 000009